(57)【要約】【課題】 本発明の目的は、外部基板上に線対称な位置関係で搭載される複数の半導体装置等の電気的装置を安価に提供することである。【解決手段】 本発明の代表的な発明では、基板３表面に配置された半導体チップ１等から出力された信号が、基板３裏面の対向する２辺近傍にそれぞれ配置された第１及び第２のパッド部５Ａ，５Ｂに実質的に同時に到達するように、半導体チップ１から第１及び第２のパッド部までの配線６が配置される。【選択図】  図４
2006066937.tif 000002
【特許請求の範囲】
【請求項１】
外部に電気的な信号を出力する複数の電極部を有する半導体チップと、表面とその反対側の裏面とを有する基板であって、前記表面上に前記半導体チップが搭載され、前記裏面に外部基板と電気的に接続するための複数の接続部がアレイ状に配置され、前記半導体チップの複数の電極部と前記複数の接続部とを電気的に接続する配線が形成された前記基板とを備えた半導体装置において、
前記複数の接続部の内、前記基板の対向する２辺の近傍にそれぞれ配置される第１の接続部及び第２の接続部に前記複数の電極部の内の所定の電極部から出力される信号が実質的に同時に伝搬されるように前記配線を配置したことを特徴とする半導体装置。
【請求項２】
前記配線は、前記基板の表面上に形成され前記所定の電極部に接続された第１配線部と、前記基板の裏面上に形成され前記第１及び第２の接続部に接続された第２配線部と、前記第１配線部と前記第２配線部とを接続するために前記基板内に形成されたスルーホール配線部とから成ることを特徴とする請求項１記載の半導体装置。
【請求項３】
前記スルーホール配線部は、前記スルーホール配線部から前記第１及び第２の接続部までの距離が等しくなる位置に配置されることを特徴とする請求項２記載の半導体装置。
【請求項４】
前記スルーホール配線部は、前記所定の電極部から異なる距離だけ離間した位置に形成された第１及び第２のスルーホール配線部から成り、前記第２配線部は、前記第１のスルーホール配線部から前記第１の接続部まで接続する第３配線部と前記第２のスルーホール配線部から前記第２の接続部まで接続する第４配線部とから成り、前記第３配線部と前記第４配線部とは長さまたは太さが異なることを特徴とする請求項２記載の半導体装置。
【請求項５】
前記複数の接続部はボール状または平板状の導電体により形成されたことを特徴とする請求項１乃至請求項４記載の半導体装置。
【請求項６】
請求項１乃至請求項４記載の半導体装置が外部基板上に２つ以上搭載され、一方の半導体装置の前記第１の接続部と他方の半導体装置の前記第２の接続部とが接続されたことを特徴とする半導体装置ユニット。
【請求項７】
請求項６記載の半導体装置には、該装置の方向を識別するための識別記号が設けられていることを特徴とする半導体装置ユニット。
【請求項８】
前記一方の半導体装置の前記第２の接続部と前記他方の半導体装置の前記第１の接続部とに対応する前記外部基板上には、電気的に独立したダミーのパッドが設けられていることを特徴とする請求項６記載の半導体装置ユニット。
【請求項９】
前記複数の接続部はボール状または平板状の導電体により形成されたことを特徴とする請求項６乃至請求項８記載の半導体装置ユニット。
【請求項１０】
前記ボール状の導電体は、前記一方の半導体装置の前記第２の接続部と前記他方の半導体装置の前記第１の接続部には形成されないことを特徴とする請求項９記載の半導体装置ユニット。
【請求項１１】
電気的な信号を出力する電極部を有する電気的な素子と、その表面上に前記電気的な素子が搭載され、その裏面の対向する２辺近傍に外部基板と電気的に接続するための第１及び第２のパッド部がそれぞれ配置され、前記電極部と前記第１及び第２のパッド部とを電気的に接続する配線が形成されたパッケージ基板とを備えた電気的装置の配線のレイアウトにおいて、
前記電極部から出力された前記信号が前記第１のパッド部及び第２のパッド部に実質的に同時に到達するように前記配線をレイアウトすることを特徴とする電気的装置のレイアウト。
【請求項１２】
前記配線は、前記パッケージ基板の表面上に形成され前記電極部に接続された第１配線部と、前記パッケージ基板の裏面上に形成され前記第１及び第２のパッド部に接続された第２配線部と、前記第１配線部と前記第２配線部とを接続するために前記パッケージ基板内に形成されたスルーホール配線部とから成ることを特徴とする請求項１１記載の電気的装置のレイアウト。
【請求項１３】
前記スルーホール配線部は、前記スルーホール配線部から前記第１及び第２のパッド部までの距離が等しくなる位置に配置されることを特徴とする請求項１２記載の電気的装置のレイアウト。
【請求項１４】
前記スルーホール配線部は、前記電極部から異なる距離だけ離間した位置に形成された第１及び第２のスルーホール配線部から成り、前記第２配線部は、前記第１のスルーホール配線部から前記第１のパッド部まで接続する第３配線部と前記第２のスルーホール配線部から前記第２のパッド部まで接続する第４配線部とから成り、前記第３配線部と前記第４配線部とは長さまたは太さが異なることを特徴とする請求項１２記載の電気的装置のレイアウト。
【請求項１５】
前記パッド部はボール状または平板状の金属層により形成されたことを特徴とする請求項１１乃至請求項１４記載の電気的装置のレイアウト。
【請求項１６】
請求項１１乃至請求項１４記載の電気的装置が外部基板上に２つ以上搭載され、一方の電気的装置の前記第１のパッド部と他方の電気的装置の前記第２のパッド部とが接続されたことを特徴とする電気的装置ユニット。
【請求項１７】
請求項１６記載の電気的装置には、該装置の方向を識別するための識別記号が設けられていることを特徴とする電気的装置ユニット。
【請求項１８】
前記一方の電気的装置の前記第２のパッド部と前記他方の電気的装置の前記第１のパッド部とに対応する前記外部基板上には、電気的に独立したダミーのパッドが設けられていることを特徴とする請求項１６記載の電気的装置ユニット。
【請求項１９】
前記パッド部はボール状または平板状の金属層により形成されたことを特徴とする請求項１６乃至請求項１８記載の電気的装置ユニット。
【請求項２０】
前記ボール状の導電体は、前記一方の電気的装置の前記第２のパッド部と前記他方の電気的装置の前記第１のパッド部には形成されないことを特徴とする請求項１９記載の電気的装置ユニット。
【請求項２１】
信号を出力する電極部を有する半導体素子と、その表面上に前記半導体素子が搭載され、その裏面の異なる２辺の近傍に外部基板と電気的に接続するための第１及び第２のパッド部が配置され、前記電極部と前記第１及び第２のパッド部とを電気的に接続する配線が形成されたパッケージ基板とを備えた半導体装置において、
前記電極部から前記第１のパッド部までの配線の電気的な抵抗と前記電極部から前記第２のパッド部までの配線の電気的な抵抗とが実質的に同じであることを特徴とする半導体装置。
【請求項２２】
前記電気的な抵抗を実質的に同じにするため前記電極部から前記第１のパッド部までの配線の長さまたは幅が前記電極部から前記第２のパッド部までの配線と異なることを特徴とする請求項２１記載の半導体装置。
【請求項２３】
信号を出力する電極部を有する電気的素子を搭載できる表面と、異なる２辺の近傍に外部基板と電気的に接続するための第１及び第２のパッド部が配置された裏面と、前記電極部と前記第１及び第２のパッド部とを電気的に接続できる配線が形成された回路基板において、
前記電極部から前記第１のパッド部までの配線の電気的な抵抗と前記電極部から前記第２のパッド部までの配線の電気的な抵抗とが実質的に同じであることを特徴とする回路基板。
【請求項２４】
前記電気的な抵抗を実質的に同じにするため前記電極部から前記第１のパッド部までの配線の長さまたは幅が前記電極部から前記第２のパッド部までの配線と異一方の半導体装置の接続部となることを特徴とする請求項２３記載の回路基板。
【発明の詳細な説明】
【技術分野】
【０００１】
この発明は、半導体素子等の電気的な素子が基板の表面に搭載され、その基板の裏面に外部基板と電気的に接続する複数の接続部が形成されるような半導体装置等の電気的装置の配線のレイアウトに関するものである。
【背景技術】
【０００２】
近年、半導体装置等の電気機器の高密度な実装化に伴い、様々なパッケージ構造を備えた装置が提案されている。
【０００３】
例えば、１９９３年６月１日に登録された米国特許第５，２１６２７８号特許公報、１９９５年１１月１４日に公開された特開平７ー３０２８５８号公開公報、１９９７年１月２１日に公開された特開平９ー２２９７７号公開公報、同年８月２６日に公開された特開平９ー２２３８６１号公開公報に開示されたものがある。
【０００４】
このような半導体装置では、１つの半導体装置と外部装置とが組み合わされて用いられることに加え、同一機能の複数個の半導体装置が外部基板上に実装され、それが１つの電気的装置として用いられることもある。
【０００５】
例えば、複数のダイナミック型ランダムアクセスメモリ（ＤＲＡＭ）が搭載されたシングル・インライン・メモリ・モジュール（ＳＩＭＭ）及びデゥアル・インライン・メモリ・モジュール（ＤＩＭＭ）、複数のＬＣＤドライバが搭載されたＬＣＤドライバ基板等が知られている。
【発明の開示】
【発明が解決しようとする課題】
【０００６】
半導体素子等の電気的な素子が基板の表面に搭載され、その基板の裏面に外部基板と電気的に接続する複数の接続部が形成されるような半導体装置が外部基板上に複数個実装される場合、以下のような問題が発生する。
【０００７】
すなわち、図２に示されるように外部基板２００上に同一機能を有する半導体装置X、Yが実装された場合、半導体装置Xの信号が出力される端子x１と外部基板２００上の出力端子２０１との間の配線２０２の距離と、半導体装置Yの信号が出力される端子y１と出力端子２０１との間の配線２０２の距離とが大きく異なる。これは図３のように半導体装置Yが１８０度回転されて配置された場合も同様である。
【０００８】
端子x１、y１は半導体装置X、Yの下側に配置されているので、実際、それらの端子を上方から見ることはできないが、理解を容易にするためにそれらの端子は図面では模式的に点線で現わされている。
【０００９】
この距離の違いは、半導体装置が高速動作すればするほど、顕著な問題として浮かび上がる。すなわち、半導体装置Xから外部端子２０１までの信号の伝搬時間と半導体装置Yから外部端子２０１までの信号の伝搬時間とが異なるので、外部端子２０１に現われる信号のタイミングがそれぞれ異なってくる。
【００１０】
このことは、上述のような外部基板を搭載する電気機器全体の動作速度にも影響を及ぼし、また、電気機器の設計上、タイミングの設定を非常に困難にする。
【００１１】
例えば、ＳＩＭＭが搭載されるパソコン等を想像すれば、このことが容易に理解されるであろう。
【００１２】
また、このような点を解消するために線対称な関係にある２種類の基板を用いることも考えられる。しかし、このことは、基板と半導体素子とを接続する配線の長さが各半導体装置内で異なることになってしまうので、半導体装置間で動作速度が異なってしまう。さらに、２種類の基板に加え、線対称な関係にある２種類の半導体素子を用いることも考えられる。このような構成を用いれば、両者の電気的特性は同一になると思われるが、計りしれない程のコストの増加に繋がる。
【課題を解決するための手段】
【００１３】
本発明の目的は、高速動作に対応できる半導体装置等の電気的装置を提供することである。
【００１４】
本発明の他の目的は、外部基板上に線対称な位置関係で搭載される複数の半導体装置等の電気的装置を安価に提供することである。
【００１５】
本発明の他の目的は、外部基板の設計の自由度を大幅に増加させた回路基板を提供することである。
【００１６】
このような目的を達成する為、本発明の代表的な発明では、基板表面に配置された半導体チップ等の電気的な素子から出力された信号が、基板裏面の対向する２辺近傍にそれぞれ配置された第１及び第２のパッド部に実質的に同時に到達するように、半導体チップから第１及び第２のパッド部までの配線が配置される。
【００１７】
このような構成により、高速動作に対応できる装置を安価に提供することが可能になる。
【発明の効果】
【００１８】
本発明によれば、高速動作に対応できる優れた半導体装置等の電気的装置を安価に提供することができる。
【発明を実施するための最良の形態】
【００１９】
以下に図面を参照しながら本発明の実施の形態が説明される。以下の説明では、本発明に直接係わる部分が中心に説明され、それ以外の部分については説明が省略される。省略された部分は、上述の公報等を参酌すれば容易に理解されるであろう。
【００２０】
最初に本発明が適用されるような半導体装置の例が紹介される。以下の説明では、外部基板と接続される接続部がボール状の金属層により構成されたボール・グリッド・アレイ（Ｂａｌｌ Ｇｒｉｄ Ａｒｒａｙ）の例が示される。
【００２１】
しかし、本発明はボール・グリッド・アレイ構造にのみ適用されるものではなく、パッケージの面積がその内部に実装された半導体チップに近いチップ・サイズ・パッケージ（Ｃｈｉｐ Ｓｉｚｅ Ｐａｃｋａｇｅ）、外部基板と接続される接続部が平板状の金属層により構成されたランド・グリッド・アレイ（Ｌａｎｄ Ｇｒｉｄ Ａｒｒａｙ）等の様々な構造の半導体装置に適用できることは以下の説明から明確に理解されるであろう。
【００２２】
図１には、ボール・グリッド・アレイ構造の半導体装置の断面図が示されている。
【００２３】
図１には、ボール・グリッド・アレイ構造の半導体装置であって、その内部で半導体チップと基板とがバンプ電極を介して接続されるフリップ・チップ（Ｆｌｉｐ Ｃｈｉｐ）方式と呼ばれる構造が示される。
【００２４】
同様のボール・グリッド・アレイ構造の半導体装置であっても、その内部で半導体チップと基板とがワイヤーを介して接続されるワイヤー・ボンディング（Ｗｉｒｅ Ｂｏｎｄｉｎｇ）方式も存在する。このワイヤー・ボンディング方式については、上述の公報にも紹介されており、これを参照すれば容易に理解される。
【００２５】
図１の装置では、半導体チップ１の回路が形成される面に複数の電極２が形成されている。これらの電極２の所定の電極から半導体チップ１内で発生された電気的な信号が外部へ出力される。また、他の電極に外部からの電気的な信号が与えられる。
【００２６】
パッケージ基板３（この基板は、セラミックまたは有機物質を主な材料として形成される）には、電極２に対応する位置に図示されていないが、複数のパッドが設けられている。各電極２と各パッドとは電気的に接続される。この接続には、金属間に化合物を形成することにより接続を行う方法、有機導電性ペーストにより接続を行う方法、半田により接続を行う方法等が考えられる。この接続部分は封止材４により封止される。この封止により外部からの水分の侵入を原因とする接続部及び配線の腐食が防止される。各パッドは基板３上及び基板中に形成された配線または回路を介して基板裏面の半田により形成された複数のボール状の接続部５にそれぞれ接続される。このボール状の接続部５は外部基板等の機器との接続に用いられる。
【００２７】
図４には、図１の装置に本発明が適用された第１の実施の形態が模式的に示されている。図４には、その例の断面図及び基板を裏面からみた場合の平面図が示されている。ここでは、説明を容易に理解するためにボール状の接続部は、接続部５Ａ、５Bの２つのみが示されるが、実際には多数のボール状接続部がアレイ状に配置されている（図示は省略されている）。このアレイは上述の公報に開示されている。
【００２８】
本実施の形態では、パッケージ基板３の表面に配置され電極２に接続されるパッドPとパッケージ基板３の裏面に配置された接続部５Ａ、５Bとが配線により接続される。図面中では、基板表面に配置された配線は理解を容易にするため、模式的に点線で現わされている。
【００２９】
この配線は、パッドPからノードNまでの共通の配線６’と、ノードNから分岐する枝配線とから構成される。この枝配線は、第１の枝配線と第２の枝配線とから構成される。
【００３０】
第１の枝配線はノードNと基板３中に設けられたスルーホールTＡとを接続する配線６Ａ１と、スルーホールＴＡと接続部５Ａとを接続する配線６Ａ２とから成る。配線６Ａ１は基板３の表面上に形成され、配線６Ａ２は基板３の裏面上に形成される。その形成方法については上述の公報が参照される。
【００３１】
スルーホールTＡは、導電性を有するように構成される。例えば、上述の公報に示されるようにその内表面にメッキ等により金属層が形成されることにより導電性を有している。スルーホールはメッキに限らず導電性を有するように構成されれば、その機能を果たす。すなわち、基板表面に形成された配線と基板裏面に形成された配線とを電気的に接続する構成を、設計者が適宜選択すればよい。
【００３２】
第２の枝配線はノードNと基板３中に設けられたスルーホールTBとを接続する配線６B１と、スルーホールＴBと接続部５Bとを接続する配線６B２とから成る。配線６B１は基板３の表面上に形成され、配線６B２は基板３の裏面上に形成される。配線及びスルーホールの形成方法については上述の公報が参照される。
【００３３】
この形態では、接続部５Ａ、５Bはパッケージ基板３の裏面において線対称な位置に配置されている。さらに、パッドPから接続部５Ａ、５Bまでの配線の電気的な特性が実質的に同一になるように工夫がされている。
【００３４】
この電気的な特性が同一であるとは、電極２からパッドPに与えらた電気的な信号が接続部５Ａ，５Ｂに同時に伝搬されることを意味する。あるいは、接続部５Ａ，５Bに与えられた信号がパッドPに同時に到達することを意味する。
【００３５】
この形態では、パッドPに与えられる信号が接続部５Ａ、５Bに同時に伝搬されるように、スルーホールＴＡ、TB及びノードNの位置が決定されている。
【００３６】
本実施の形態では、配線６Ａ１、６Ａ２、６B１、６B２に同じ材質で形成され同じ幅の配線が用いられている。パッドPと接続部５Ａとの間の電気的抵抗とパッドPと接続部５Bとの間の電気的抵抗を同じにする為、パッドPから接続部５Ａ、５Bまでの配線の長さ（この場合ノードNから接続部５Ａ，５Bまでの長さ）が同一になるようにスルーホールＴＡ、TB及びノードNの位置が決定されている。
【００３７】
パッドPと接続部５Ａとは立体的に近接した位置にあるが、配線の抵抗を調整するため、パッドPから離れた位置にあるスルーホールＴＡを介して両者は接続される。
【００３８】
ここでは、スルーホール及びノードの位置により配線の長さによる抵抗が考慮された例が示された。その他にもパッドから各接続部までの配線の幅、配線の材質をそれぞれ調整することにより、パッドから各接続部までの配線の電気的特性を一致させることができる。
【００３９】
配線の長さ、配線の幅、配線の材質、隣接する配線との間に形成される配線間容量等のいずれかを考慮して、各配線の電気的特性を一致させることもできるが、これらの要素の複数を組み合わせて電気的特性を一致させることもできる。これらの選択は、基板上のスルーホールの形成スペースの問題、配線の形成スペースの問題等、設計上の都合を考慮しながら、設計者が最適な要素の組み合わせを選択すればよい。
【００４０】
本実施の形態の半導体装置を外部基板２００上に複数個、搭載した例が図５及び図６に示されている。図５は本実施の形態の半導体装置X’、Y’が外部基板２００上に搭載された外観を示す上面図である。図６は斜視図である。
【００４１】
図５、図６に示されるように本実施の形態では、同一の信号が与えられる接続部５Ａ，５Ｂがそれぞれの半導体装置X’、Y’に設けられているので、外部基板２００の端子２０１と接続部５Ａ、５Bとは、外部基板２００上に配線２０２’を従来のように引き回すことなしに最短距離で接続される。
【００４２】
さらに、接続部５Ａ、５Bには、半導体チップから出力される信号が同時に到達されるように設計されているので、半導体装置X’と半導体装置Y’から出力される信号は実質的に同じタイミングで出力される。
【００４３】
このことは、半導体装置の高速化、または外部機器と半導体装置との間の入出力の高速化の観点から望ましいことである。また、各半導体装置から全く同じタイミングで信号が出力されることは、そのような半導体装置を外部基板に搭載する際の設計を非常に容易にする。すなわち、設計者にとっては、従来に比較して、個別の半導体装置からの信号のタイミング、配線の引き回し等を考慮する時間が大幅に短縮される。
【００４４】
さらに、１種類のパッケージ基板で線対称な半導体装置が実現されるので、コストが大幅に削減できる。
【００４５】
このような外部基板に本実施の形態の半導体装置を搭載する場合、外部基板上の配線で接続されない接続部（半導体装置X’の接続部５Ａ、半導体装置Y’の接続部５B）に対応する外部基板上にはダミーパッドが設けられる。このダミーパッドは外部基板上で電気的に独立し、電気機器の動作に関与しないものである。
【００４６】
あるいは、多数のボール状の接続部を形成する際、外部基板上の配線で接続されない接続部（半導体装置X’の接続部５Ａ、半導体装置Y’の接続部５B）のみ形成しないという方法も考えられる。この場合、接続部の配列により２種類のパッケージ基板が必要になる。
【００４７】
以上のような形態によれば、高速動作に対応できる優れた半導体装置等の電気的装置を安価に提供することができる。
【００４８】
また、本実施の形態において、パッドPからノードNまでの共通の配線６’と、ノードNとスルーホールTＡとを接続する配線６Ａ１と、スルーホールＴＡと接続部５Ａとを接続する配線６Ａ２とが形成されたパッケージ基板３’、及びパッドPからノードNまでの共通の配線６’と、ノードNとスルーホールTBとを接続する配線６Ａ１と、スルーホールＴBと接続部５Bとを接続する配線６B２とが形成されたパッケージ基板３’’の２種類のパッケージ基板により半導体装置をそれぞれ構成することもできる。これらの半導体装置は、図５及び図６R>６と同様に配置される。この場合、２種類のパッケージ基板が必要になる。
【００４９】
この場合も、各半導体装置から全く同じタイミングで信号が出力されるので、そのような半導体装置を外部基板に搭載する際の設計を非常に容易にする等の効果が得られる。
【００５０】
次に、図７を参照しながら本発明の他の実施の形態が説明される。前出の部分と同じ要素には同一の符号を付けることにより、その説明が省略される。
【００５１】
本実施の形態でも、パッケージ基板３の表面に配置され電極２に接続されるパッドPとパッケージ基板３の裏面に配置された接続部５Ａ、５Bとが配線により接続される。図面中では、基板表面に配置された配線は理解を容易にするため、模式的に点線で現わされている。
【００５２】
この配線は、パッドPとスルーホールTCとを接続する共通の配線６’と、スルーホールTCと接続部５Ａとを接続する配線６Ａと、スルーホールTCと接続部５Bとを接続する配線６Bとから成る。配線６Ａ、６Bは基板３の裏面上に形成され、配線６’は基板３の表面上に形成される。
【００５３】
スルーホールTＡは、上述のスルーホールと同様に導電性を有するように構成される。
【００５４】
この形態では、接続部５Ａ、５Bはパッケージ基板３の裏面において線対称な位置に配置されている。パッドPから接続部５Ａ、５Bまでの配線の電気的な特性が実質的に同一になるように、スルーホールTCは接続部５Ａ、５Bから等距離の位置に形成される。
【００５５】
ここでは、スルーホールの位置により配線の長さによる抵抗が考慮された例が示された。上述の形態と同様に、その他にもパッドから各接続部までの配線の幅、配線の材質をそれぞれ調整することにより、パッドから各接続部までの配線の電気的特性をさらに一致させることができる。
【００５６】
本実施の形態に上述した配線の長さ、配線の幅、配線の材質、隣接する配線との間に形成される配線間容量等の要素の複数を組み合わせて考慮することにより、電気的特性を一致度をさらに向上させることもできる。
【００５７】
これらの選択は、基板の設計上の都合を考慮しながら、設計者が最適な要素の組み合わせを選択すればよい。
【００５８】
また、本実施の形態において、パッドPとスルーホールTCとを接続する配線６’と、スルーホールＴCと接続部５Ａとを接続する配線６Ａとが形成されたパッケージ基板３’、及びパッドPとスルーホールＴCを接続する配線６’と、スルーホールＴCと接続部５Bとを接続する配線６Bとが形成されたパッケージ基板３’’の２種類のパッケージ基板により半導体装置をそれぞれ構成することもできる。これらの半導体装置は、図５及び図６と同様に配置される。この場合、２種類のパッケージ基板が必要になる。
【００５９】
この場合も、各半導体装置から全く同じタイミングで信号が出力されるので、そのような半導体装置を外部基板に搭載する際の設計を非常に容易にする等の効果が得られる。
【００６０】
本実施の形態によれば、上述の実施の形態により得られる種々の効果に加え、さらに設計が容易になるという効果が期待される。すなわち、スルーホールの位置は２つの接続部から等距離の位置に形成されるので、比較的容易にその位置を特定することができる。
【００６１】
上述の実施の形態の半導体装置において図８R>８に示されるような互いに異なる形状の識別マークＩ１，Ｉ２を設けることもできる。これらのマークは、線対称の半導体装置の方向性を示すものであり、互いに形状あるいは色あるいは模様等が異なっている。図８には、半導体チップ１上にマークが設けられているが、マークはパッケージ基板上に設けることもできる。
【００６２】
これにより半導体装置を外部基板に実装する場合、半導体装置の向きを容易に把握することが可能となる。
【００６３】
本発明は、例証的な実施態様を用いて説明されたが、この説明は限定的な意味に受け取られてはならない。この例証的実施態様の様々な変更、並びに本発明のその他の実施態様が当業者にはこの説明を参考にすることによって明らかになるであろう。従って、特許請求の範囲はそれらのすべての変更または実施態様を本発明の真の範囲に含むものとしてカバーするであろうと考えられている。
【図面の簡単な説明】
【００６４】
【図１】本発明の実施の形態を示す断面図である。
【図２】従来の半導体装置が搭載された外部基板の上面図である。
【図３】従来の半導体装置が搭載された外部基板の上面図である。
【図４】本発明の実施の形態の断面構造及び平面構造を部分的に示す図である。
【図５】本発明の半導体装置が搭載された外部基板の上面図である。
【図６】本発明の半導体装置が搭載された外部基板の斜視図である。本
【図７】本発明の他の実施の形態の断面構造及び平面構造を部分的に示す図である。
【図８】本発明の識別マークを示す平面図である。
【符号の説明】
【００６５】
１ 半導体チップ
２ 電極
３ パッケージ基板
５ ボール状の接続部
６ 配線
ＴＡ，ＴＢ スルーホール
【図１】
2006066937.tif 000003
【図２】
2006066937.tif 000004
【図３】
2006066937.tif 000005
【図４】
2006066937.tif 000006
【図５】
2006066937.tif 000007
【図６】
2006066937.tif 000008
【図７】
2006066937.tif 000009
【図８】
2006066937.tif 000010